(57)【特許請求の範囲】
【請求項１】
シリンダ錠のキー孔の上方に設けられるハウジングと、
該ハウジング内で回動することにより閉塞位置と開放位置との間で移動可能とされ、前記キー孔を開閉するシャッターと、
前記シャッターを開放位置から閉塞位置まで付勢する付勢手段と、
閉塞位置にある前記シャッターをロックするロック手段と、
該ロック手段によるロックを解除し、前記シャッターを閉塞位置から開放位置まで移動させる開放手段と、
開放位置にある前記シャッターを係止するとともに、前記ハウジングから突出した操作部を具備し、当該操作部を操作することによりシャッターとの係止を解除し得る操作手段と、
を具備し、シリンダ錠を保護し得るシリンダ錠の保護装置において、
前記シャッターとロック手段とが一体形成されるとともに、前記付勢手段は、前記シャッターの回動軸とは異なる軸に設けられた捩りバネから成ることを特徴とするシリンダ錠の保護装置。
【請求項２】
前記シリンダ錠のキー孔にキーを挿通させた状態で前記シャッターを閉塞位置まで移動させた際、当該シャッターにおける当該キーと当接する縁部に面取りが施されたことを特徴とする請求項１記載のシリンダ錠の保護装置。
【請求項３】
前記シャッターは、前記捩りバネと当接してその付勢力を受け得る突起が形成されるとともに、当該突起及び捩りバネは、前記シャッターの回動角度に応じて捩りバネから受ける付勢力の方向及び捩りバネの突起との当接位置を変化させる形状とされたことを特徴とする請求項１又は請求項２記載のシリンダ錠の保護装置。
【請求項４】
前記操作部と前記シャッターとの当接部位にテーパ形状が形成されたことを特徴とする請求項１〜３の何れか１つに記載のシリンダ錠の保護装置。
【発明の詳細な説明】
【技術分野】
【０００１】
本発明は、二輪車等に装備されるシリンダ錠の破壊等を防止し得るシリンダ錠の保護装置に関する。
【背景技術】
【０００２】
従来、第三者によるはさみやドライバ等のキー孔への差し込みで二輪車等のシリンダ錠がいたずらされて破壊されるのを防止するために、例えば特許文献１で開示されたシリンダ錠の保護装置が提案されている。かかる保護装置は、キー孔を閉状態とする閉塞位置から当該キー孔を開状態とする開放位置まで回動可能なシャッターと、該シャッターを開放位置から閉塞位置に付勢するねじりバネと、開放位置のシャッターを係止する押しボタンと、シャッターを閉塞位置に保持することによりキー孔を閉塞して施錠するマグネット錠と、磁石の磁気によってマグネット錠を解錠するマグネットキーとを具備していた。
【０００３】
上記保護装置によれば、押しボタンを押圧操作すれば、ねじりバネの付勢力でシャッターが閉塞位置まで回動し、キー孔を閉塞状態とするとともに、マグネットキーにてマグネット錠（ロック手段）を解錠しつつシャッターを開放位置まで回動させることができる。然るに、シャッターとマグネット錠（ロック手段）とは別体構成とされており、スライダを介して各々が動作するよう構成されている。
【特許文献１】特開２００３−２３９５８１号公報
【発明の開示】
【発明が解決しようとする課題】
【０００４】
しかしながら、上記従来のシリンダ錠の保護装置においては、シャッターとロック手段とが別体構成とされており、各々がスライダを介して動作するよう構成されていたので、スライダの動作範囲を確保するため大型化してしまうとともに、マグネットキーにてマグネット錠（ロック手段）を解錠しつつシャッターを開放位置まで回動させるに際し、複雑な構成が必要となってしまうという問題があった。
【０００５】
本発明は、このような事情に鑑みてなされたもので、操作性を維持するとともに、簡易な構成として製造コストを低減させつつ小型化を図ることができるシリンダ錠の保護装置を提供することにある。
【課題を解決するための手段】
【０００６】
請求項１記載の発明は、シリンダ錠のキー孔の上方に設けられるハウジングと、該ハウジング内で回動することにより閉塞位置と開放位置との間で移動可能とされ、前記キー孔を開閉するシャッターと、前記シャッターを開放位置から閉塞位置まで付勢する付勢手段と、閉塞位置にある前記シャッターをロックするロック手段と、該ロック手段によるロックを解除し、前記シャッターを閉塞位置から開放位置まで移動させる開放手段と、開放位置にある前記シャッターを係止するとともに、前記ハウジングから突出した操作部を具備し、当該操作部を操作することによりシャッターとの係止を解除し得る操作手段とを具備し、シリンダ錠を保護し得るシリンダ錠の保護装置において、前記シャッターとロック手段とが一体形成されるとともに、前記付勢手段は、前記シャッターの回動軸とは異なる軸に設けられた捩りバネから成ることを特徴とする。
【０００７】
請求項２記載の発明は、請求項１記載のシリンダ錠の保護装置において、前記シリンダ錠のキー孔にキーを挿通させた状態で前記シャッターを閉塞位置まで移動させた際、当該シャッターにおける当該キーと当接する縁部に面取りが施されたことを特徴とする。
【０００９】
請求項３記載の発明は、請求項１又は請求項２記載のシリンダ錠の保護装置において、前記シャッターは、前記捩りバネと当接してその付勢力を受け得る突起が形成されるとともに、当該突起及び捩りバネは、前記シャッターの回動角度に応じて捩りバネから受ける付勢力の方向及び捩りバネの突起との当接位置を変化させる形状とされたことを特徴とする。
【００１０】
請求項４記載の発明は、請求項１〜３の何れか１つに記載のシリンダ錠の保護装置において、前記操作部と前記シャッターとの当接部位にテーパ形状が形成されたことを特徴とする。
【発明の効果】
【００１１】
請求項１の発明によれば、操作部を操作することによりシャッターとの係止を解除し得る操作手段を具備するとともに、シャッターとロック手段とが一体形成されたので、操作性を維持するとともに、簡易な構成として製造コストを低減させつつ小型化を図ることができる。
また、付勢手段は、シャッターの回動軸とは異なる軸に設けられた捩りバネから成るので、シャッターの回動軸に捩りバネを設けたものに比べ、薄型化を図ることができる。
【００１２】
請求項２の発明によれば、シャッターにおけるキーと当接する縁部に面取りが施されたので、シリンダ錠のキー孔にキーを挿通させた状態で操作手段を誤って操作し、シャッターを閉塞位置まで移動させてしまってシャッターにキーが挟まった状態においても、容易にキーを抜き取ることができる。
【００１４】
請求項３の発明によれば、突起及び捩りバネは、シャッターの回動角度に応じて捩りバネから受ける付勢力の方向及び捩りバネの突起との当接位置を変化させる形状とされたので、捩りバネの付勢力を効率よくシャッターに伝達させることができ、シャッターの確実な動作を行わせることができる。
【００１５】
請求項４の発明によれば、操作部とシャッターとの当接部位にテーパ形状が形成されたので、当該操作部に対するシャッターの係止をよりスムーズに行わせることができる。
【発明を実施するための最良の形態】
【００１６】
以下、本発明の実施形態について図面を参照しながら具体的に説明する。
本実施形態に係るシリンダ錠の保護装置は、二輪車が具備するシリンダ錠のキー孔上方に設けられ、該キー孔を外側から開閉可能とすることによりシリンダ錠を保護し得るもので、図１〜図４に示すように、ケース１ａ及びカバー１ｂで構成されるハウジング１と、シャッター２と、付勢手段としての捩りバネ３と、マグネット錠を構成するロック手段４と、開放手段としてのマグネットキーＭＫ（図２参照）と、操作手段としての押しボタン５とから主に構成されている。
【００１７】
ケース１ａは、ダイカスト成形品から成るものであり、図２に示すように、車両のシリンダ錠Ｓを挿通し、そのキー孔Ｓａを上方に臨ませ得る挿通孔１ａａが略中央に形成されるとともに、その近傍にマグネット錠用凸部１ａｂが形成されている。マグネット錠用凸部１ａｂは、その先端面においてスプリングＳ１を介してマグネットＭを収容する収容穴１ａｃが複数（本実施形態においては４つ）形成されるとともに、外周面でロック手段４の円環状部４ａを回動自在に嵌合し得るよう構成されている。尚、図２中符号ａは、ロック手段４の円環状部４ａとマグネット錠用凸部１ａｂとの間をシールするＯリングを示している。
【００１８】
カバー１ｂは、所定のダイカスト成形品から成り、ケース１ａの上面側を覆って該ケース１ａとの間に形成される内部空間にシャッター２等シリンダ錠の保護装置の構成部品を収容するためのもので、挿通孔１ａａと対応した位置に形成されてイグニッションキー（不図示）をキー孔Ｓａに挿通させ得る孔１ｂａと、押しボタン５の操作部５ａを挿通させ得る孔１ｂｂと、ロック手段４の嵌合部４ａを挿通させ得る孔１ｂｃとが形成されている。
【００１９】
これにより、押しボタン５の操作部５ａがカバー１ｂの上面側から突出した状態で組み付けられるとともに、キー孔Ｓａを臨ませる孔１ｂａを挟んで両側に押しボタン５とロック手段４とが位置することとなる。尚、カバー１ｂの上面は、押しボタン５の操作部５ａを除き略平坦に形成されている。
【００２０】
ロック手段４は、シャッター２と一体成形された非磁性体材料から成るものである。このロック手段４は、表面側にマグネットキーＭＫ（開放手段）を嵌合させ得る嵌合部４ｂが形成されるとともに、裏面側にはマグネット錠用凸部１ａｂ先端に配設されたマグネットＭを嵌合係止し得る複数の嵌合穴４ｃが形成されている。かかるロック手段４をマグネット錠用凸部１ａｂ上に組み付けると、嵌合穴４ｃがスプリングＳ１で上方に付勢されたマグネットＭを嵌合係止し得るよう構成されている。
【００２１】
即ち、シャッター２が閉塞位置にあるとき、マグネット錠用凸部１ａｂの先端に形成された収容穴１ａｃと嵌合穴４ｃとが合致するよう設定されており、当該閉塞位置においてマグネットＭが嵌合穴４ｃに入り込むことによりロック手段４を係止し、ロックし得るよう構成されているのである。一方、マグネットキーＭＫは、ロック手段４によるロックを解除し、シャッター２を閉塞位置から開放位置まで移動させるためのもので、例えば二輪車のイグニッションキーの把持部（樹脂製の部位）に一体形成された部位から成る。また、マグネットキーＭＫの先端には、マグネットＭに対応する位置にマグネットが複数埋設されており、このマグネットは、、マグネットキーＭＫがロック手段４の嵌合部４ｂに嵌合された状態で、マグネットＭの上面側の極と異なる極が対向するように配設されている。
【００２２】
これにより、ロック手段４（シャッター２）がロックされた状態においてマグネットキーＭＫを嵌合部４ｂに差し込むと、マグネットＭとマグネットキーＭＫ内のマグネットとの反発力により、マグネットＭがスプリングＳ１の付勢力に抗して下降し、ロックが解除されるのである。この状態のままマグネットキーＭＫを回転させれば、嵌合部４ｂの嵌合でロック手段４が連れ回されてシャッター２と共に回動するよう構成されている。
【００２３】
シャッター２は、既述の如くロック手段４と一体成形された非磁性体材料から成るものであり、閉塞位置でキー孔Ｓａを覆う閉塞部２ａと、該閉塞部２ａから外方へ突出形成された腕部２ｂと、シャッター２の裏面から突出した突起２ｃとを有している。而して、ロック手段４がマグネット錠用凸部１ａｄに嵌合しつつ、これを中心として回動すると、閉塞部２ａがカバー１ｂの孔１ｂａを塞ぐ位置（閉塞位置）と、当該孔１ｂａから離間して開放する位置（開放位置）との間で移動し、キー孔Ｓａを外側から開閉し得るよう構成されている。尚、シャッター２全体の形状は、ハウジング１全体の形状及び大きさや、他の構成要素のレイアウト等により任意に変更することができる。
【００２４】
突起２ｃは、捩りバネ３と当接してその付勢力を受け得る部位であり、当該付勢力によりシャッター２が開放位置から閉塞位置まで常時付勢されている。かかる捩りバネ３は、本発明の付勢手段を構成するもので、シャッター２を開放位置から閉塞位置まで付勢すべく当該シャッター２の回動軸（即ち、マグネット錠用凸部１ａｄ）とは異なる軸Ｌに設けられている。
【００２５】
具体的には、捩りバネ３は、ケース１ａ（或いはカバー１ｂ）から一体的に突出形成された軸Ｌに巻着されつつ基端３ｂ側がケース１ａ側に固定されるとともに、先端３ａ側が突起２ｃと当接して付勢力を伝達し得るよう構成されている。また、捩りバネ３の先端３ａ側は、図７に示すように、シャッター２の回動動作の過程において、常時突起２ｃとの当接が維持されるようになっている。
【００２６】
然るに、突起２ｃ及び捩りバネ３は、シャッター２の回動角度に応じて捩りバネ３から受ける付勢力の方向及び捩りバネ３の突起２ｃとの当接位置を変化させる形状とされている。具体的には、突起２ｃは、図示の如く平面視で所定向きに形成された略楕円形状とされるとともに、捩りバネ３の先端３ａ側が所定角度だけ折り曲げ形成されており、シャッター２が何れの位置にあっても捩りバネ３の付勢力が効率的に突起２ｃに伝達されるようになっている。
【００２７】
即ち、図７に示すように、シャッター２が開放位置（同図（ａ）参照）から同図（ｂ）（ｃ）の状態を経て、閉塞位置（同図（ｄ）参照）に至るまで、捩りバネ３における先端３ａと突起２ｃとの当接位置及び当接角度が逐次変化し、捩りバネ３の付勢力がシャッター２の回動方向へ効率的に伝達されるようになっているのである。従って、捩りバネ３の付勢力を効率よくシャッター２に伝達させることができ、シャッター２の確実な動作を行わせることができる。
【００２８】
腕部２ｂは、シャッター２が閉塞位置にあるとき、押しボタン５の腕部５ｂと当接して係止される部位であり、その裏面（押しボタン５の腕部５ｂと当接する面）がテーパ形状２ｂａとされている。このように、押しボタン５（腕部５ｂ）とシャッター２（腕部２ｂ）との当接部位（当接面）にテーパ形状２ｂａが形成されることにより、当該押しボタン５（操作部）に対するシャッター２の係止をよりスムーズに行わせることができる。尚、テーパ形状が、押しボタン５の腕部５ｂ側に形成されたもの、或いは当該腕部５ｂ及び腕部２ｂの双方に形成されたものとしてもよい。
【００２９】
押しボタン５は、上述の如く開放位置にあるシャッター２を係止するとともに、ハウジング１から突出した操作部５ａを具備し、当該操作部５ａを押圧操作することによりシャッター２との係止を解除し得るものであり、当該操作部５ａ及び腕部５ｂを有した樹脂製一体成形品から成る。而して、シャッター２が開放位置にあるとき、押しボタン５はコイルバネＳ２の付勢力により上方へ付勢されており、腕部５ｂがシャッター２の腕部２ｂに係止され、捩りバネ３の付勢方向（シャッター２の閉塞位置へ向かう方向）への回動が規制されている。
【００３０】
一方、コイルバネＳ２の付勢力に抗して押しボタン５を押圧操作すると、それに伴い腕部５ｂも下方に移動することとなるので、シャッター２の腕部２ｂに対する係止が解除され、捩りバネ３による付勢力でシャッター２が自動的に閉塞位置まで回動する。従って、押しボタン５の操作部５ａに対する押圧操作は、シャッター２の係止を解除するストローク量だけあれば足り、操作を簡易とすることができる。また、押しボタン５を動作させる際、コイルバネ４に抗する押し込み力で足りるため、指先の僅かな力で押圧操作することができ、操作性を向上させることができる。
【００３１】
上記の如くシャッター２が閉塞位置に至ると、既述のようにマグネットＭがロック手段４に嵌合してロックされることとなる。そして、マグネットキーＭＫによりロック手段４によるロックを解除しつつ当該ロック手段４を回動させると、捩りバネ３の付勢力に抗してシャッター２も回動し、腕部２ｂのテーパ形状２ｂａと腕部５ｂとの当接時に生じるカムの作用にて、シャッター２の腕部２ｂが押しボタン５の腕部５ｂにスムーズに係止されることとなり、開放位置でシャッター２が保持されることとなる。
【００３２】
また更に、本実施形態においては、シリンダ錠Ｓのキー孔Ｓａにキー（イグニッションキー）を挿通させた状態でシャッター２を閉塞位置まで移動させた際、図５、６に示すように、当該シャッター２における当該キーと当接する縁部２ｄ（下面側）に面取りが施されている。これにより、シリンダ錠Ｓのキー孔Ｓａにキーを挿通させた状態で押しボタン５（操作手段）を誤って操作し、シャッター２を閉塞位置まで移動させてしまってシャッター２にキーが挟まった状態においても、容易にキーを抜き取ることができる。
【００３３】
また、押しボタン５は、図２に示すように、下方に延びた延設部５ｃが設けられており、当該押しボタン５を押圧操作するのに伴って当該延設部５ｃも下方へ移動し得るようになっている。この延設部５ｃの下方には、マイクロスイッチ６が配設されており、押しボタン５が押圧操作されて延設部５ｃが下方へ移動すると、その先端がマイクロスイッチ６の作動部６ａを押圧してスイッチをオンし得るよう構成されている。これにより、例えば別個二輪車に配設された照明手段が点灯し、キー孔Ｓ１を照らし得るようになっている。
【００３４】
上記実施形態によれば、操作部５ａを押圧操作することによりシャッター２との係止を解除し得る押しボタン５（操作手段）を具備するとともに、シャッター２とロック手段４とが一体形成されたので、これらシャッター２とロック手段４とを別体としたものに比べ、操作性を維持するとともに、簡易な構成として製造コストを低減させつつ小型化を図ることができる。
【００３５】
また、シャッター２を開放位置から閉塞位置まで付勢する付勢手段が、シャッターの回動軸とは異なる軸Ｌに設けられた捩りバネ３から成るので、シャッター２の回動軸（即ち、（即ち、マグネット錠用凸部１ａｄ）に捩りバネを設けたものに比べ、薄型化を図ることができるとともに、シャッター２を組み付けた状態のまま当該捩りバネ３を交換等することができ、メンテナンスを容易とすることができる。
【００３６】
以上、本実施形態に係るシリンダ錠の保護装置について説明したが、本発明はこれに限定されるものではなく、例えば押しボタン５に代えて、開放位置にあるシャッターを係止するとともに、ハウジングから突出した操作部を具備し、当該操作部を操作することによりシャッターとの係止を解除し得る他の操作手段（例えばスライド式や回転式の操作手段等）としてもよい。
【００３７】
また、本実施形態においては、マグネットＭをロック手段６に係止させるマグネット錠をロック手段としているが、これに代えて他の形態のロック手段としてもよい。
【産業上の利用可能性】
【００３８】
ハウジング内で回動することにより閉塞位置と開放位置との間で移動可能とされ、キー孔を開閉するシャッターと、閉塞位置にあるシャッターをロックするロック手段とが一体形成されるとともに、付勢手段がシャッターの回動軸とは異なる軸に設けられた捩りバネから成るシリンダ錠の保護装置であれば、外観形状が異なるもの或いは他の機能が付加されたもの等にも適用することができる。
【図面の簡単な説明】
【００３９】
【図１】本発明の実施形態に係るシリンダ錠の保護装置を示す上面図
【図２】同シリンダ錠の保護装置を示す縦断面図（図１中、ＩＩ−ＩＩ線断面図）
【図３】同シリンダ錠の保護装置におけるカバーを取り外した状態を示す上面図
【図４】同シリンダ錠の保護装置における一体成形されたシャッター及びロック手段、押しボタンを示す斜視図
【図５】同シリンダ錠の保護装置における一体成形されたシャッター及びロック手段、押しボタンを他の角度から見た状態を示す斜視図
【図６】同シリンダ錠の保護装置における一体成形されたシャッター及びロック手段を示す上面図及び裏面図
【図７】同シリンダ錠の保護装置におけるシャッターの回動に伴う捩りバネの状態を説明するための模式図
【符号の説明】
【００４０】
１…ハウジング
１ａ…ケース
１ｂ…カバー
２…シャッター
２ｃ…突起
２ｄ…縁部
３…捩りバネ（付勢手段）
４…ロック手段
５…押しボタン（操作手段）
５ａ…操作部
６…マイクロスイッチ
Ｓ…シリンダ錠
Ｓａ…キー孔
ＭＫ…マグネットキー（開放手段）
【図１】
0004583462.tif 000002
【図２】
0004583462.tif 000003
【図３】
0004583462.tif 000004
【図４】
0004583462.tif 000005
【図５】
0004583462.tif 000006
【図６】
0004583462.tif 000007
【図７】
0004583462.tif 000008